(57)【要約】【課題】メイクアップ化粧料を適用する個々の被験者について、自然化粧肌色（即ち、素肌色に対する修正意向を満たし、かつ最も自然な色であると感じる化粧肌色）を客観的に予測し、自然化粧肌色をつくりだすメイクアップ化粧料を容易に選択できるようにする。【解決手段】特定の年代の複数の女性被験者について、メイクアップ化粧料適用前の色を測色すると共に、自然化粧肌色を測色し、メイクアップ化粧料適用前の測色値と自然化粧肌色の測色値との回帰直線を求め、これに基づいて、前記年代と同年代の任意の女性被験者の自然化粧肌色を、その被験者のメイクアップ化粧料塗布前の測色値から算出する。自然化粧肌色をつくりだすメイクアップ化粧料は、前記回帰直線の導出にかかるメイクアップ化粧料とは別に複数のメイクアップ化粧料について被験者の化粧肌色を予測し、その化粧肌色の予測値と自然化粧肌色の予測値との色空間上の距離が最も小さくなる化粧料とする。【選択図】図１
2006267115.tif 000002
【特許請求の範囲】
【請求項１】
(i)被験者のメイクアップ化粧料適用前の色を測色する測色手段、(ii)測色値を記憶する記録手段、(iii)被験者のメイクアップ化粧料適用前の測色値と、色の異なる複数の被塗布体について予め得られているメイクアップ化粧料適用前の測色値と適用後の測色値との回帰直線とに基づき、前記被験者にメイクアップ化粧料を適用した後の化粧肌色を求める化粧肌色算出演算手段、(iv)特定の年代の女性被験者について、メイクアップ化粧料適用前の測色値と、該年代と同年代の複数の女性被験者について予め得られているメイクアップ化粧料適用前の測色値とそれらの被験者の自然化粧肌色の測色値との回帰直線に基づき、前記被験者の自然化粧肌色を算出する自然化粧肌色算出演算手段、(v)色の異なる複数のメイクアップ化粧料について、化粧肌色算出演算手段により求めた化粧肌色と、自然化粧肌色算出演算手段により求めた自然化粧肌色との色空間上の距離を対比し、その値が最も小さくなるメイクアップ化粧料を求める対比演算手段、(vi)対比演算手段により求められたメイクアップ化粧料を自然感を最大にするメイクアップ化粧料として表示する表示手段、を有することを特徴とするメイクアップ化粧料の選択装置。
【発明の詳細な説明】
【技術分野】
【０００１】
本発明は、メイクアップ化粧料の使用者が最も自然な色であると感じる自然化粧肌色を予測し、さらに、その自然化粧肌色をつくる化粧料を容易に選択できるようにする方法に関する。
【背景技術】
【０００２】
一般に、ファンデーション、アイシャドウ、口紅等のメイクアップ化粧料を皮膚に適用した場合の色（即ち、化粧肌色）は、その化粧料塗膜の下地となっている皮膚の色の影響を大きく受けるので、化粧料自体が有する固有の色と化粧肌色とは異なる。
【０００３】
そのため、メイクアップする者の意向に沿った化粧肌色をつくり出すメイクアップ化粧料を、メイクアップ化粧料自体が有する固有の色に基づいて選択することは難しい。メイクアップ化粧料の選択によっては、化粧肌色は、素肌色に対して極めて不自然な風合いのものとなる。
【０００４】
そこで、メイクアップ化粧料を適用する被験者あるいは化粧アドバイザーにとっては、メイクアップ化粧料の選択時に、当該被験者の化粧意向に沿い、かつ自然な風合いの仕上がりを呈するメイクアップ化粧料を如何に選択するかが課題となっている。
【０００５】
これまで、メイクアップ化粧料を皮膚に適用した場合の化粧肌色に関して、化粧肌色を客観的に予測する方法はいくつか提案されている（特許文献１）。しかしながら、メイクアップ化粧料の被験者の意向を満たし、かつ自然な風合いの仕上がりに感じられる化粧肌色を客観的に予測する方法や、そのような化粧肌色を作り出すメイクアップ化粧料を容易に選択できる方法はない。
【特許文献１】特開平９−１７８５６０号公報
【発明の開示】
【発明が解決しようとする課題】
【０００６】
そこで、本発明は、メイクアップ化粧料の被験者の意向を満たし、かつ自然な風合いの仕上がりに感じられる化粧肌色を客観的に予測し、そのような化粧肌色を作り出すメイクアップ化粧料を容易に選択できるようにすることを課題とする。
【課題を解決するための手段】
【０００７】
本発明は、上記の課題を解決すべく、複数の被験者について、メイクアップ化粧料適用前の色を測色すると共に、被験者の自然化粧肌色（即ち、被験者のメイクアップ化粧料適用前の色に対する修正意向を満たし、かつ最も自然な色であると感じる化粧肌色）を測色し、メイクアップ化粧料適用前の測色値と自然化粧肌色の測色値の回帰直線を求め、一方、任意の被験者の自然化粧肌色を、その被験者のメイクアップ化粧料適用前の測色値と前記回帰直線とに基づいて予測することを特徴とする自然化粧肌色の予測方法を提供し、この方法により被験者の自然化粧肌色を予測し、一方、被験者が別途複数のメイクアップ化粧料を適用した後の化粧肌色を予測し、これら化粧肌色の予測値と自然化粧肌色の予測値との色空間上の距離が最も小さくなるメイクアップ化粧料を自然感を最大にするメイクアップ化粧料として選択する化粧料の選択方法を提供する。
【０００８】
さらに、この化粧料の選択方法を実施する装置として、(i)被験者のメイクアップ化粧料適用前の色を測色する測色手段、(ii)測色値を記憶する記録手段、(iii)被験者のメイクアップ化粧料適用前の測色値と、色の異なる複数の被塗布体について予め得られているメイクアップ化粧料適用前の測色値と適用後の測色値との回帰直線とに基づき、前記被験者にメイクアップ化粧料を適用した後の化粧肌色を求める化粧肌色算出演算手段、(iv)特定の年代の女性被験者について、メイクアップ化粧料適用前の測色値と、該年代と同年代の複数の女性被験者について予め得られているメイクアップ化粧料適用前の測色値とそれらの被験者の自然化粧肌色の測色値との回帰直線に基づき、前記被験者の自然化粧肌色を算出する自然化粧肌色算出演算手段、(v)色の異なる複数のメイクアップ化粧料について、化粧肌色算出演算手段により求めた化粧肌色と、自然化粧肌色算出演算手段により求めた自然化粧肌色との色空間上の距離を対比し、その値が最も小さくなるメイクアップ化粧料を求める対比演算手段、(vi)対比演算手段により求められたメイクアップ化粧料を自然感を最大にするメイクアップ化粧料として表示する表示手段、を有することを特徴とするメイクアップ化粧料の選択装置を提供する。
【発明の効果】
【０００９】
本発明の自然化粧肌色の予測方法によれば、予め、複数の被験者のメイクアップ化粧料適用前の測色値と、各被験者についての自然化粧肌色の測色値との回帰直線を求めておく。この回帰直線は、前記複数の被験者が共通に有する肌色修正意向を反映していると考えられる。したがって、この回帰直線を用いて任意の被験者の自然化粧肌色を予測する本発明によれば、任意の被験者が、自己の化粧意向が満たされ、かつ自然な風合いの仕上がりであると感じる化粧肌色（自然化粧肌色）を客観的に予測することが可能となり、また、自然化粧肌色をつくりだすメイクアップ化粧料を容易に選択することが可能となる。
【００１０】
また、本発明の化粧料の選択方法によれば、任意の被験者の化粧肌色の予測値と自然化粧肌色の予測値との色空間上の距離が最も小さくなるようにメイクアップ化粧料を選択するので、各被験者の化粧意向が満たされ、かつ、化粧の仕上がりの自然感を最大にするメイクアップ化粧料を簡便に客観的に選択することが可能となる。
【発明を実施するための最良の形態】
【００１１】
以下、本発明の自然化粧肌色の予測方法、化粧料の選択方法及び化粧料の選択装置について詳細に説明する。
【００１２】
本発明の自然化粧肌色の予測方法は、任意の被験者にメイクアップ化粧料を適用した場合に当該被験者の化粧意向に沿い、かつ当該被験者が最も自然であると感じる化粧肌色を予測する方法である。
【００１３】
ここで、化粧肌色を予測するメイクアップ化粧料の種類としては、ファンデーション、口紅、アイシャドウ、頬紅等をあげることができる。
【００１４】
この自然化粧肌色の予測方法においては、まず、複数の被験者について、メイクアップ化粧料適用前の色を測色すると共に、各被験者に複数種のメイクアップ化粧料をそれぞれ適用した場合に、各被験者の自己の化粧前の色に対する修正意向を満たし、かつ各被験者が最も自然な色であると感じる自然化粧肌色を測色し、これらメイクアップ化粧料適用前の測色値と自然化粧肌色の測色値との回帰直線を求める。この回帰直線は、前記複数の被験者が共通に有する、化粧前の色に対する修正意向を反映していると考えられる。
【００１５】
例えば、１７〜２９歳の種々の素肌色を有する女性７６名を被験者とし、各被験者の素肌色と、各被験者に種々のファンデーションを塗布した場合の化粧肌色のうち、各被験者が自然化粧肌色として選択した化粧肌色を測色し、これら素肌色と自然化粧肌色との分布を図示すると図２のようになる。図２から、被験者の素肌色の分布の中心色の方向に自然化粧肌色の分布が集まっていることがわかる。したがって、これらの被験者には、化粧肌色をその集団の素肌色の分布の中心に合わせたいという修正意向がはたらいており、その意向を基礎として各被験者が最も自然であると感じられる化粧肌色が選択されていることがわかる。
【００１６】
そこで、本発明においては、メイクアップ化粧料適用前の測色値と自然化粧肌色の測色値の回帰直線を求めた後、任意の被験者にこの回帰直線を適用し、当該被験者の自然化粧肌色を予測する。
【００１７】
より具体的には、例えば図２の場合の被験者のファンデーション塗布前の素肌色に対する自然化粧肌色の色差を求め、この色差を素肌色に対してプロットすると図１に示すように回帰直線が得られる。この回帰直線は次式で表される。
【００１８】
【数１】
2006267115.tif 000003
式中、ｄＨは、素肌色Ｈ0に対する自然化粧肌色の色差であり、被験者の素肌色に対する修正意向の現れと考えられる。また、ｐh、ｑhは、それぞれ係数であり、ｐhは、図１の回帰直線の傾きに相当する。
【００１９】
そこで、予め、上述の回帰直線を求めておき、次に、自然化粧肌色を予測しようとする任意の被験者について素肌色Ｈ0を測色し、その素肌色の測色値を回帰直線にあてはめて化粧後の色差についてのｄＨを求める。そして、当該被験者の自然化粧肌色Ｈpを次式
【００２０】
【数２】
2006267115.tif 000004
により求める。
【００２１】
このように任意の被験者について自然化粧肌色を予測するにあたり、各被験者の化粧に対する修正意向は、当該被験者の年代、嗜好等によって異なる傾向があるので、好ましくは、当該被験者と共通の修正意向を有していると考えられる母集団について予め上述の回帰直線を求めておき、その回帰直線を利用する。
【００２２】
また、この自然化粧肌色の予測に必要とされる、メイクアップ化粧料適用前の測色と自然化粧肌色の測色とは、任意の表色系を用いておいて行うことができる。例えば、マンセル表色系の色相Ｈ、明度Ｖ、彩度Ｃ、及びＬ*ａ*ｂ*表色系の明度指数Ｌ*、知覚色度指数ａ*、ｂ*、Ｌ*ｕ*ｖ*表色系の明度指数Ｌ*、知覚色度指数ｕ*、ｖ*、及びＸＹＺ表色系の基礎刺激値Ｘ、Ｙ、Ｚから選ばれる少なくとも一つにより測色値を求めればよい。
【００２３】
本発明の化粧料の選択方法は、上述のようにして予測される自然化粧肌色を作り出すメイクアップ化粧料を客観的に予測する方法である。この方法においては、当該被験者に種々のメイクアップ化粧料を適用した場合の化粧肌色を予測する。そして、その化粧肌色の予測値と前述の自然化粧肌色の予測値との色空間上の距離が最も小さくなるメイクアップ化粧料を自然感を最大にするメイクアップ化粧料として選択する。
【００２４】
例えば、図３に示すように、当該被験者の素肌色の色相と明度が（Ｈ0，Ｖ0）であり、当該被験者の自然化粧肌色の予測値としての色相と明度が（Ｈp，Ｖp）であるとする。また、５色のファンデーションＡ〜Ｅから当該被験者に対して自然感を最大にするメイクアップ化粧料を選択する場合に、まず、これらの一つのファンデーションＡを当該被験者に塗布したときの化粧肌色（Ｈx(A)，Ｖx(A)）を予測する。なお、この化粧肌色（Ｈx(A)，Ｖx(A)）は、公知の発色理論により予測することができ、図示したように、ファンデーションＡの固有の塗布色（Ｈ1(A)，Ｖ1(A)）と、当該被験者の素肌色（Ｈ0，Ｖ0）との中間の色を呈することとなる。次に、このファンデーションＡを当該被験者に塗布した場合の化粧肌色の予測値（Ｈx(A)，Ｖx(A)）と、自然化粧肌色の予測値（Ｈp，Ｖp）との色空間上の距離を求める。同様にして、他のファンデーションＢ〜Ｅについても、そのファンデーションを当該被験者に塗布した場合の化粧肌色の予測値と自然化粧肌色の予測値（Ｈp，Ｖp）との色空間上の距離を求める。そしてこれらファンデーションＡ〜Ｅのうち、色空間上の距離が最小となるものを、自然感を最大にするメイクアップ化粧料として選択する。
【００２５】
ここで、被験者に種々の色のメイクアップ化粧料を適用した場合の化粧肌色の予測方法としては、特に制限はないが、予測操作の簡便性の点から、特開平９−１７８５６０号公報に記載されている方法にしたがうことが好ましい。即ち、予め、色の異なる複数の被塗布体について、メイクアップ化粧料適用前の色と適用後の色とをそれぞれ測色し、メイクアップ化粧料適用前の測色値と適用後の測色値との回帰直線を求める。一方、メイクアップ化粧料の選択対象である被験者について、メイクアップ化粧料の適用前の色を測色する。そして、被験者のメイクアップ化粧料適用前の測色値と、前記被塗布体について求めた、メイクアップ化粧適用前の測色値と適用布後の測色値との回帰直線とに基づいて、被験者がメイクアップ化粧料を適用した後の化粧肌色を予測する。
【００２６】
なお、この化粧肌色の予測において、メイクアップ化粧適用前の測色値と適用後の測色値との回帰直線を求めるために使用する被塗布体としては、特に制限はなく、被験者である必要はない。人の皮膚の他、経時的に色が安定している人工皮革、レプリカ、紙など種々の素材のものを使用することができる。好ましくは当該メイクアップ化粧料が適用される皮膚と同様の柔軟性や表面凹凸形状を有しているものを使用する。これにより、実際に皮膚に化粧料を適用した場合と同様の化粧料の付着状態や展延性を得ることができる。
【００２７】
また、色空間上の距離を求めるにあたり、その表色系には特に制限はなく、マンセル表色系、Ｌ*ａ*ｂ*表色系、Ｌ*ｕ*ｖ*表色系及びＸＹＺ表色系から選ばれる少なくとも一つとすることができる。
【００２８】
図４は、上述の化粧料の選択方法を実施する本発明の化粧料の選択装置のシステム構成図であり、測色機Ａ、入力装置Ｂ、コンピュータＣ、及びＣＲＴディスプレイ等の表示装置Ｄ、プリンター等の出力装置Ｅからなっている。
【００２９】
この測色機Ａは、被験者あるいは被塗布体にメイクアップ化粧料を適用する前の色又は適用した後の色を測色する測色手段１として設けられている。測色機Ａとしては、分光測色機、三刺激値直読型色差計等任意の測色機を使用することができるが、測色値の客観性を考慮すると、工業規格に定める基準（ＪＩＳ Ｚ−８７２２ 物体色の測定方法）に沿った測色機が好ましい。
【００３０】
コンピュータＣは、少なくとも、測色機Ａにより測色した値を記憶する記録手段２、被験者のメイクアップ化粧料適用前の測色値と、色の異なる複数の被塗布体について予め得られているメイクアップ化粧料適用前の測色値と適用後の測色値との回帰直線とに基づき、前記被験者にメイクアップ化粧料を適用した後の化粧肌色を求める化粧肌色予測演算手段３、被験者のメイクアップ化粧料適用前の測色値と、複数の被験者について予め得られているメイクアップ化粧料適用前の測色値と各被験者の自然化粧肌色の測色値との回帰直線に基づき、前記被験者の自然化粧肌色を予測する自然化粧肌色予測演算手段４、及び色の異なる複数のメイクアップ化粧料について、化粧肌色予測演算手段３により求めた化粧肌色と、自然化粧肌色予測演算手段４により求めた自然化粧肌色との色空間上の距離を対比し、その値が最も小さくなるメイクアップ化粧料を求める対比演算手段５、を内蔵するものとして設けられている。
【００３１】
このコンピュータＣには、上述の各手段の他、色の異なる複数の被塗布体についての、メイクアップ化粧料適用前の測色値と適用後の測色値との回帰直線をこのコンピュータＣで求められるようにする演算手段や、複数の被験者についての、メイクアップ化粧料適用前の測色値と各被験者の自然化粧肌色の測色値との回帰直線をこのコンピュータＣで求められるようにする演算手段を組み込むことが好ましいが、これら回帰直線は、別途キー入力してもよい。
【００３２】
入力装置Ｂは、被験者あるいは被塗布体の測色値が、測色機Ａから直接コンピュータＣに入力されるようにする他、別途、キー入力できるようにしたり、上述の回帰直線をキー入力できるようにしたりするものである。
【００３３】
表示装置Ｄ及び出力装置Ｅは、最終的に選択された、自然感を最大にするメイクアップ化粧料を表示するが、この他、メイクアップ化粧料の選択の過程で使用された回帰直線や、個々の測色データ、自然化粧肌色の予測値等も任意に選択して出力する。  
【実施例】
【００３４】
以下、本発明を実施例に基づいて具体的に説明する。
【００３５】
実施例１
１７〜２９歳の２２８名の女性を被験者とし、各被験者の頬の素肌色をマンセル表色系の色相Ｈ及び明度Ｖについて測色した。また、各被験者が各自の化粧意向に沿い、最も自然に感じられるファンデーションを塗布したときの化粧肌色を自然化粧肌色として、マンセル表色系で測色した。次いで、各被験者の自然化粧肌色と素肌色との回帰直線を求め、次式（１）及び（２）を得た。
【００３６】
【数３】
2006267115.tif 000005
【００３７】
さらに、上述の被験者のうち１４名の被験者の頬の素肌色をマンセル表色系で測色し、得られた測色値Ｈ0、Ｖ0と上述の式（１）及び（２）とから次式（３）及び（４）にしたがい各被験者にとって自然感が最大になる化粧肌色の予測を行い、その予測値としての色相Ｈp、明度Ｖpを得た。
【００３８】
【数４】
2006267115.tif 000006
【００３９】
さらに、市販の色の異なる５種のファンデーションＡ〜Ｅについて、特開平９−１７８５６０号公報の化粧肌色の予測方法にしたがって上述の１４名の被験者の化粧肌色を予測した。そして、各被験者ごとに、５種のファンデーションＡ〜Ｅのそれぞれについて、化粧肌色と自然化粧肌色の予測値との色空間上の距離（色差）を求め、その色空間上の距離が５種のファンデーションＡ〜Ｅのうちで最も小さくなるものを最適ファンデーションとして選択した。こうして選択したファンデーションの種類と各被験者の素肌色とを表１に示す。また、こうして選択したファンデーションに対する各被験者の評価を次の４段階に表した。
◎：非常に満足である
○：満足である
△：どちらともいえない
×：不満足である
この結果を表１に示す。
【００４０】
比較例１
実施例１において予測した、５種のファンデーションＡ〜Ｅについての１４名の各被験者の化粧肌色と、各被験者の素肌色との色空間上の距離が最も小さくなるファンデーションを比較例による最適ファンデーションとして選択し、こうして選択したファンデーションに対する各被験者の評価を実施例１と同様に４段階に表した。この結果を表１に示す。
【００４１】
【表１】
2006267115.tif 000007
【００４２】
表１から、各被験者の修正意向が考慮されている本実施例によると、被験者の８６％が非常に満足又は満足する化粧料を客観的手法により選択できることがわかる。
【図面の簡単な説明】
【００４３】
【図１】ファンデーション塗布前の素肌色と、素肌色に対する自然化粧肌色の色差との関係図である。
【図２】素肌色と自然化粧肌色との分布図である。
【図３】素肌色、自然化粧肌色、ファンデーションＡによる化粧肌色及びファンデーションＡの固有の塗布色の関係図である。
【図４】本発明の化粧料の選択装置のシステム構成図である。
【符号の説明】
【００４４】
Ａ  測色機
Ｂ  入力装置
Ｃ  コンピュータ
Ｄ  表示装置
Ｅ  出力装置
１  測色手段
２  記録手段
３  化粧肌色予測演算手段
４  自然化粧肌色予測演算手段
５  対比演算手段
【図１】
2006267115.tif 000008
【図２】
2006267115.tif 000009
【図３】
2006267115.tif 000010
【図４】
2006267115.tif 000011